(57)【要約】【課題】  容易に運転者の運転技能レベルを判断し、自動運転から手動運転に切り替えることができるか否かを判断する自動車の手動運転切替システムの提供。【解決手段】  自動車の手動運転切替システム１００は、自動運転、手動運転が可能な自動車ＡＭにおいて、運転者の運転技能レベルを判断するための運転技能基礎情報が記録保持されている運転技能基礎情報記録媒体１０５、自動車ＡＭに取り付けられ、運転技能基礎情報記録媒体１０５から運転技能基礎情報を取得する運転技能基礎情報取得装置１０３、自動車ＡＭに取り付けられ、取得した運転技能基礎情報を用いて、自動運転から手動運転へと切り替えできるか否かを判断する手動運転切替制御装置１０１、を有する。これにより、運転技能基礎情報を記録する運転技能基礎情報記録媒体１０５を用いるだけで、容易に、運転者の運転技能レベルを判断し、自動運転から手動運転へと切り替えできるか否かを判断できる【選択図】  図１
2018124686.tif 000002
【特許請求の範囲】
【請求項１】
運転者の意図する運転操作が自動車の運転に反映されない自動運転、及び、運転者の意図する運転操作が自動車の運転に反映される手動運転が可能な自動車において、
運転者の運転技能レベルを判断するための運転技能基礎情報が記録保持されている運転技能基礎情報記録媒体、
自動車に取り付けられる運転技能基礎情報取得装置であって、前記運転技能基礎情報記録媒体から前記運転技能基礎情報を取得する運転技能基礎情報取得装置、
自動車に取り付けられる手動運転切替制御装置であって、前記運転技能基礎情報取得装置を介して取得した運転技能基礎情報を用いて、前記自動運転から、前記手動運転へと切り替えることができるか否かを判断する手動運転切替制御装置、
を有する自動車の手動運転切替システム。
【発明の詳細な説明】
【技術分野】
【０００１】
本発明は、自動車の手動運転切替システムに関し、特に、運転者の運転技能レベルを判定するものに関する。
【背景技術】
【０００２】
従来の自動車の手動運転切替システムについて、図９に示す自動運転サービス判断システムを用いて説明する。 自動運転サービス判断システムは、操舵量を調整する操舵用アクチュエータ２ａと、操舵量を検出する操舵角検出装置４ａと、速度を調整する変速用アクチュエータ３ａと、速度を検出する速度検出装置４ｂを備えている。操舵用アクチュエータ２ａ、変速用アクチュエータ３ａを制御し、車両の操舵可能性、減速操作可能性、加速操作可能性を演算する車載制御装置１５が設けられている。車両制御装置１５に対して、所望操舵量、所望速度を指示し、操舵可能性、減速操作可能性、加速操作可能性の演算結果のうち少なくとも一に基づいて車両の自動運転可能性の有無を判断する路側制御装置７が設けられている。これにより、自動運転サービス判断システムは、車両の自動運転可能性の有無について、車両の走行状態を維持したままで自動的に検査し、検査結果とともに自動運転への移行の可否を、ドライバーに通知する（特許文献１参照）。
【先行技術文献】
【特許文献】
【０００３】
【特許文献１】特開２００２−２３０６８２号公報
【発明の開示】
【発明が解決しようとする課題】
【０００４】
しかしながら、前述の自動運転サービス判断システムには、以下に示す改善すべき点がある。自動運転サービス判断システムでは、車両を走行させた状態で自動運転の可否を判断する。つまり、運転者自らが運転する手動運転の状態から、自動運転に切り替えることができるか否かを判断する。一方、近年においては、一部の高齢者等、所定の運転者が自らが運転する前に、運転者の運転技能レベルを判断し、自動運転できる自動車において、自動運転とするか、自動運転から手動運転へと切り替えるのかを判断する必要がある、という改善すべき点がある。
【０００５】
また、自動運転できる自動車においても、自らの操作によって自動車を運転したい、つまり、手動運転で自動車を操作したいという運転者の欲求に答える必要もある一方、運転者の運転技能レベルにかかわらず全ての運転者について、自動運転から手動運転への切り替えができるとすることは、安全性を害する可能性がある、という改善すべき点がある。
【０００６】
そこで、本発明は、容易に運転者の運転技能レベルを判断し、自動運転から手動運転に切り替えることができるか否かを判断する自動車の手動運転切替システムを提供することを目的とする。
【発明の効果】
【０００７】
本発明における課題を解決するための手段及び発明の効果を以下に示す。
【０００８】
本発明に係る自動車の手動運転切替システムは、運転者の意図する運転操作が自動車の運転に反映されない自動運転、及び、運転者の意図する運転操作が自動車の運転に反映される手動運転が可能な自動車において、運転者の運転技能レベルを判断するための運転技能基礎情報が記録保持されている運転技能基礎情報記録媒体、自動車に取り付けられる運転技能基礎情報取得装置であって、前記運転技能基礎情報記録媒体から前記運転技能基礎情報を取得する運転技能基礎情報取得装置、自動車に取り付けられる手動運転切替制御装置であって、前記運転技能基礎情報取得装置を介して取得した運転技能基礎情報を用いて、前記自動運転から、前記手動運転へと切り替えることができるか否かを判断する手動運転切替制御装置、を有する。
【０００９】
これにより、運転技能基礎情報を記録する運転技能基礎情報記録媒体を用いるだけで、容易に、運転者の運転技能レベルを判断し、自動運転から手動運転へと切り替えることができるか否かを判断できる。つまり、運転技能基礎情報に含める情報の種類、例えば、年齢や運転経験を加味した上で、運転者の運転技能レベルを判断し、自動運転から手動運転へと切り替えるか否かを判断することができる。
【図面の簡単な説明】
【００１０】
【図１】本発明に係る一実施形態に係る手動運転切替システム１００が搭載される自動車ＡＭの構成を示す図である。
【図２】運転技能基礎情報のデータ構造を示す図である。
【図３】手動運転切替プログラムの動作を示すフローチャートである。
【図４】運転可否判断処理を示すフローチャートである。
【図５】運転技能レベル判断処理を示すフローチャートである。
【図６】運転環境判断処理を示すフローチャートである。
【図７】本発明に係る一実施形態に係る手動運転切替システム２００が搭載される自動車ＡＭの構成を示す図である。
【図８】本発明に係る一実施形態に係る手動運転切替システム３００が搭載される自動車ＡＭの構成を示す図である。
【図９】従来の自動車の手動運転切替システムを示す図である。
【発明を実施するための形態】
【００１１】
以下、本発明の実施例について、図面を参照しながら詳細に説明していく。
【実施例１】
【００１２】
本発明に係る自動車の手動運転切替システム１００（以下、手動運転切替システム１００とする。）は、自動運転システムＡＤＳが搭載される自動車ＡＭに搭載される。
【００１３】
第１  手動運転切替システム１００が搭載される自動車ＡＭの構成
手動運転切替システム１００が搭載される自動車ＡＭについて、図１に示す概略図を用いて説明する。自動車ＡＭは、自動運転システムＡＤＳ、手動運転切替システム１００、車内カメラＣ１、車外カメラＣ３、全地球測位システム（Ｇｌｏｂａｌ  Ｐｏｓｉｔｉｏｎｉｎｇ  Ｓｙｓｔｅｍ）ＧＰＳ、及び、車車間通信システムＭＣＳを有している。
【００１４】
自動運転システムＡＤＳは、自動車が搭載する種々のセンサから取得する情報に基づき、コンピュータによって自動車の走行を自動的に制御するシステムである。手動運転切替システム１００は、自動運転システムＡＤＳによって制御されている自動車の走行を、運転者の運転操作によって、自動車の走行を制御する手動運転に切り替えるシステムである。手動運転切替システム１００については、後述する。
【００１５】
車内カメラＣ１は、車室内の状態、少なくとも、運転者の前方からの状態を画像として取得するものである。車外カメラＣ３は、自動車ＡＭの車外の状態を画像として取得するものであり、前方、後方等、必要に応じて、種々の方向の画像を取得する。車内カメラＣ１については、車室内を撮影する車内カメラ等、既存のものを用いる。また、車外カメラＣ３については、ドライブレコーダや、車両前方を確認するためのフロントカメラ、車両後方を確認するためのリアカメラ等、既存のものを利用する。
【００１６】
全地球測位システムＧＰＳは、自動車ＡＭの現在地を取得する。全地球測位システムＧＰＳについても、既存のＧＰＳシステムを利用する。車車間通信システムＭＣＳは、自車の周辺に存在する他の自動車ＡＭから、現在地、走行速度等の情報を取得するとともに、他の自動車ＡＭに対して同様の情報を提供する。車車間通信システムＭＣＳについても、既存の車車間通信システムを利用する。
【００１７】
自動運転システムＡＤＳは、自動車ＡＭの走行を、車外カメラＣ３、全地球測位システムＧＰＳ、車車間通信システムＭＣＳ等を用いて、自動車ＡＭの走行環境を自動的に判断し、自動車ＡＭの各部の動作を制御し、自動走行させるシステムである。自動運転システムＡＤＳについても、既存の自動運転システムを利用する。
【００１８】
第２  手動運転切替システム１００の構成
手動運転切替システム１００の構成について、図１を用いて説明する。手動運転切替システム１００は、手動運転切替制御装置１０１、運転技能基礎情報取得装置１０３、及び、運転技能基礎情報記録媒体１０５を有している。
【００１９】
手動運転切替制御装置１０１は、ＣＰＵ１０１ａ、及び、メモリ１０１ｂを有している。ＣＰＵ１０１ａは、メモリ１０１ｂに記録されているオペレーティング・システム（ＯＳ）、手動運転切替制御プログラム等その他のアプリケーションに基づいた処理を行う。メモリ１０１ｂは、ＣＰＵ１０１ａに対して作業領域を提供する。また、メモリ１０１ｂは、オペレーティング・システム（ＯＳ）、手動運転切替制御プログラム等、その他のアプリケーションのプログラム、及び、各種データを記録保持する。
【００２０】
運転技能基礎情報取得装置１０３は、運転技能基礎情報記録媒体１０５が記録保持している運転技能基礎情報を、運転技能基礎情報記録媒体１０５から取得する装置である。運転技能基礎情報取得装置１０３は、運転技能基礎情報記録媒体１０５に応じた装置であり、例えば、運転技能基礎情報記録媒体１０５が接触型のＩＣカードであれば、運転技能基礎情報取得装置１０３は、接触型のＩＣカードリーダに対応し、また、運転技能基礎情報記録媒体１０５がＮＦＣ（Ｎｅａｒ  Ｆｉｅｌｄ  Ｃｏｍｍｕｎｉｃａｔｉｏｎ）等を利用した非接触型のＩＣカードであれば、運転技能基礎情報取得装置１０３は、非接触型のＩＣカードリーダに対応する。
【００２１】
運転技能基礎情報記録媒体１０５は、運転技能基礎情報を記録保持する。ここで、運転技能基礎情報とは、運転技能基礎情報記録媒体１０５を所有する所有者（以下、所有者）の運転技能を判断するための基礎となる情報をいう。運転技能基礎情報については、後述する。運転技能基礎情報記録媒体１０５は、手動運転切替システム１００に対応した専用のＩＣカード型の情報記録媒体である。
【００２２】
第３  運転技能基礎情報のデータ構造
運転技能基礎情報記録媒体１０５が記録保持する運転技能基礎情報のデータ構造について、図２を用いて説明する。運転技能基礎情報は、運転免許取得時情報記述領域、生年月日情報記述領域、運転履歴情報記録領域、違反履歴情報記録領域、居住地情報記録領域、免許有効期限情報記録領域、及び、顔写真情報記述領域を有している。
【００２３】
運転免許取得時情報記述領域には、所有者が運転免許を取得した時が記述される。生年月日情報記述領域には、所有者の生年月日が記述される。運転履歴情報記述領域には、所有者の運転履歴が記述される。運転履歴としては、例えば、運転した日時や、各運転における速度や経路等の走行データが記述される。違反履歴情報記述領域には、所有者の違反履歴が記述される。居住地情報記述領域には、所有者の現在の居住地が記述される。免許有効期限情報記述領域には、運転免許の有効期限が記述される。顔写真情報記述領域には、運転者の顔写真がデータとして記述される。
【００２４】
第４  手動運転切替システム１００の動作
手動運転切替システム１００における手動運転切替制御装置１０１のＣＰＵ１０１ａの動作について、図３に示すフローチャートを用いて説明する。運転者は、自動車ＡＭに乗車すると、自身が保有する運転技能基礎情報記録媒体１０５を、運転技能基礎情報取得装置１０３にセットする。
【００２５】
ＣＰＵ１０１ａは、運転技能基礎情報取得装置１０３を介して、運転技能基礎情報記録媒体１０５から運転技能基礎情報を取得できる状態になったと判断すると（Ｓ３０１）、運転技能基礎情報記録媒体１０５から運転技能基礎情報を取得する（Ｓ３０３）。
【００２６】
ＣＰＵ１０１ａは、取得した運転技能基礎情報を用いて、現在、運転席に座っている人物を運転者として自動車ＡＭを走行させてよいか否かを判断する走行可否判断処理を実行する（Ｓ３０５）。走行可否判断処理については、後述する。
【００２７】
ＣＰＵ１０１ａは、現在、運転席に座っている人物を運転者として自動車ＡＭを走行させてよいと判断すると、取得した運転技能基礎情報を用いて、運転者の運転技能のレベルを判断する運転技能レベル判断処理を実行する（Ｓ３０７）。運転技能レベル判断処理については、後述する。
【００２８】
ＣＰＵ１０１ａは、現在、運転席に座っている人物を運転者として自動車ＡＭを走行させてよいと判断すると、取得した運転技能基礎情報を用いて、運転者の運転技能のレベルを判断する運転技能レベル判断処理を実行する（Ｓ３０９）。運転技能レベル判断処理については、後述する。
【００２９】
ＣＰＵは、ステップＳ３０７における運転技能レベル判断処理によって判断した運転技能レベル（後述）、及び、ステップＳ３０９における運転環境判断処理によって判断した運転環境係数（後述）を用いて、自動運転から手動運転へ切り替え可能か否かを判断する（Ｓ３１１）。ＣＰＵは、自動運転から手動運転へ切り替え可能であると判断すると、運転者の行為に基づく運転ができるように、自動運転システムＡＤＳを制御する（Ｓ３１３）。
【００３０】
なお、自動運転システムＡＤＳの制御においては、例えば、自動運転レベルと、運転技能レベル及び運転環境係数から算出する総合運転係数とを対応させる。なお、自動運転レベルとしては、例えば、国土交通省自動車局が平成２８年７月６日に報道発表したレベル分けがある。この場合、総合運転係数値が低ければ、運転者の意思による運転、つまり、手動運転に適さないと判断し、完全自動運転である自動運転レベルにおけるレベル４相当とする、つまり、自動運転から手動運転へ切り替え不可とする。なお、総合運転係数値が高くなるにつれて、加速、操舵、制動の全てを自動運転とするが自動運転システムＡＤＳの要請に応じて運転者が対応するレベル３相当、加速、操舵、制動のうち複数を自動運転とするレベル２相当、加速、操舵、制動のうち一つを自動運転とするレベル１相当で、自動運転から手動運転へ切り替える。
【００３１】
なお、ＣＰＵ１０１ａは、手動運転中、所定間隔で、運転環境判断処理を実行し、運転環境係数を算出し、運転環境係数に応じて、適宜、自動運転システムＡＤＳを制御する。自動運転システムＡＤＳの制御については、例えば、前述の自動運転レベルと運転環境係数とを対応付けておき、自動車ＡＭの加速、操舵、制動の動作を調整する。
【００３２】
ＣＰＵ１０１ａは、運転者による運転が終了したと判断すると（Ｓ３１５）、取得した運転技能基礎情報をメモリ１０１ｂから消去する。なお、運転者による運転が終了した場合としては、例えば、イグニッションキーをＯＦＦ状態とすることが対応する。
【００３３】
１．  走行可否判断処理
手動運転切替システム１００のＣＰＵ１０１ａが実行する運転可否判断処理について、図４に示すフローチャートを用いて説明する。自動運転可否判断処理とは、運転技能基礎情報記録媒体１０５に記録されている情報所有者と、運転技能基礎情報記録媒体１０５を運転技能基礎情報取得装置１０３にセットし、運転席に着座している運転者とが同一か否かを判断し、着座している運転者による自動車ＡＭの運転が可能か否かを判断する処理をいう。
【００３４】
ＣＰＵ１０１ａは、取得した運転技能基礎情報から、顔写真情報を取得する（Ｓ４０１）。また、車内カメラＣ１から、着座している運転者が写っている現在の運転者画像を取得する（Ｓ４０３）。ＣＰＵ１０１ａは、顔写真情報から判断できる顔情報と、運転者画像から判断できる顔情報とを比較し、同一人か否かを判断する（Ｓ４０５）。なお、顔写真情報から判断できる顔情報と、運転者画像から判断できる顔情報との比較に際しては、既存の画像を用いた人物同定処理を用いる。
【００３５】
ＣＰＵ１０１ａは、ステップＳ４０５において免許有効期限情報を取得する（Ｓ４０７）。ＣＰＵ１０１ａは、現在の時間から免許有効期限内であるか否かを判断する（Ｓ４０９）。ＣＰＵ１０１ａは、ステップＳ４０９において免許有効期限内であると判断すると、運転可否判断処理を終了し、運転技能レベル判断処理（Ｓ３０９：図３参照）を実行する。
【００３６】
一方、ＣＰＵ１０１ａは、ステップＳ４０５において同一人でないと判断するか、ステップＳ４０９において運転免許が有効期限内でないと判断すると、手動運転切替制御処理（図３参照）を終了し（Ｓ４１１）、運転者による運転ができないように自動車ＡＭを制御する運転不許可処理を実行する（Ｓ４１３）。運転不許可処理として、例えば、エンジンがスタートできないように、自動車ＡＭのコンピュータシステムを制御する。
【００３７】
２．  運転技能レベル判断処理
手動運転切替システム１００のＣＰＵ１０１ａが実行する運転技能レベル判断処理について、図５に示すフローチャートを用いて説明する。運転技能レベル判断処理とは、運転者の運転技能を判断する処理である。
【００３８】
ＣＰＵ１０１ａは、取得した運転技能基礎情報から、生年月日情報を取得し（Ｓ５０１）、運転者の現在の年齢を算出する（Ｓ５０３）。ＣＰＵ１０１ａは、算出した現在の年齢に応じた年齢係数を算出する（Ｓ５０５）。なお、年齢係数の算出においては、年齢区分毎に設定した係数値を予め記憶保持しておく。計数値としては、例えば、１８歳〜２５歳に係数０．７を、２６歳〜３０歳に係数０．７５を、３１歳〜５０歳に係数０．９を、５１歳〜６０歳に係数０．８を、６１歳〜７０歳に係数０．７５を、７１歳以上に係数０．７を、それぞれ設定する。
【００３９】
また、ＣＰＵ１０１ａは、運転免許取得時情報を取得し（Ｓ５０７）、現在の運転免許保持期間を算出する（Ｓ５０９）。ＣＰＵ１０１ａは、算出した現在の運転免許保持期間に応じた運転免許保持期間係数を算出する（Ｓ５１１）。なお、運転免許保持期間係数の算出においては、年齢係数の算出と同様、運転免許保持期間区分毎に設定した係数値を予め記憶保持しておく。
【００４０】
さらに、ＣＰＵ１０１ａは、運転履歴情報を取得する（Ｓ５１３）。ＣＰＵ１０１ａは、取得した運転履歴情報から運転履歴係数を算出する（Ｓ５１５）。なお、運転履歴係数は、例えば、所定期間内の運転回数によって判断する。なお、運転履歴係数の算出においては、年齢係数の算出と同様、所定期間内の運転回数毎に設定した係数値を予め記憶保持しておく。
【００４１】
さらに、ＣＰＵ１０１ａは、違反履歴情報を取得する（Ｓ５１７）。ＣＰＵ１０１ａは、取得した違反履歴情報から違反履歴係数を算出する（Ｓ５１９）。なお、違反履歴係数は、例えば、所定期間内の違反回数によって判断する。なお、違反履歴係数の算出においては、運転履歴係数の算出と同様、所定期間内の違反回数毎に設定した係数値を予め記憶保持しておく。
【００４２】
ＣＰＵ１０１ａは、算出した年齢係数、免許保持期間係数、運転履歴係数、及び、違反履歴係数を用いて、運転技能レベルを算出する（Ｓ５２１）。なお、運転技能レベルの算出においては、例えば、各係数を乗算し、乗算の結果として得られた運転技能レベル係数によって判断する。なお、運転技能レベルの算出においては、年齢係数の算出と同様、運転技能レベル係数毎に設定した運転技能レベルを予め記憶保持しておく。
【００４３】
３．運転環境判断処理
手動運転切替システム１００のＣＰＵが実行する運転環境判断処理について、図６に示すフローチャートを用いて説明する。運転環境判断処理とは、自動車ＡＭが走行すると想定される環境を判断する処理であり、例えば、自動車ＡＭの走行が想定される地域が、運転者にとって慣れた地域であるか否かや、危険度が高いか否か等を判断する。
【００４４】
ＣＰＵ１０１ａは、居住地情報を取得する（Ｓ６０１）。また、ＣＰＵ１０１ａは、全地球測位システムＧＰＳから現在位置を取得する（Ｓ６０３）。ＣＰＵ１０１ａは、取得した居住地情報、及び、現在位置を用いて、運転地係数を算出する（Ｓ６０５）。なお、運転地係数の算出においては、現在位置と居住地との間の距離を算出し、算出した距離に毎に設定した係数値を予め記憶保持しておく。ここで、例えば、算出した距離が近ければ、運転に慣れた地域と判断し、運転地係数値を高く、一方、算出した距離が遠ければ、不慣れな地域と判断し、運転地係数値を低く、それぞれ設定する。
【００４５】
また、ＣＰＵ１０１ａは、車外カメラＣ３から外部画像を取得する（Ｓ６０７）。ＣＰＵ１０１ａは、車車間通信システムＭＣＳを用いて、周辺を走行している自動車が自動運転か否かを示す車車間通信情報を取得する（Ｓ６０９）。ＣＰＵ１０１ａは、取得した外部画像、及び、車車間通信情報を用いて、周辺危険度係数を算出する（Ｓ６１１）。周辺危険度係数の算出において、ＣＰＵ１０１ａは、例えば、取得した外部画像から前方車両との距離を算出し、前方車間距離係数を算出する。なお、前方車間距離係数の算出においては、前方車間距離毎に設定した係数値を予め記憶保持しておく。また、ＣＰＵ１０１ａは、取得した車車間通信情報から周辺車両が自動走行であるか否かを判断した上で車車間通信係数を算出する。車車間通信係数の算出においては、周辺車両が自動走行であれば高めに、自動走行でなければ低めに、係数値を設定する。さらに、前方車間距離係数、及び、車車間通信係数を用いて、周辺危険度係数を算出する。周辺危険度係数の算出においては、例えば、前方車間距離係数と車車間通信係数とを乗算する。
【００４６】
ＣＰＵ１０１ａは、算出した運転地係数、及び、周辺危険度係数を用いて、運転環境係数を算出する（Ｓ６１３）。なお、運転環境係数の算出においては、例えば、各係数を乗算し、乗算の結果として得られた係数値を運転環境係数とする。
【実施例２】
【００４７】
前述の実施例１においては、運転技能基礎情報記録媒体１０５は、手動運転切替システム１００に対応した専用のＩＣカード型の情報記録媒体としていた。一方、本実施例に係る手動運転切替システム２００においては、一般的に交付されているＩＣカード型の免許証を情報記録媒体２０５として用いる。なお、以下においては、実施例１と同様の構成については同様の符号を付し、詳細な説明を省略する。
【００４８】
第１  手動運転切替システム２００の構成
手動運転切替システム２００の構成について、図７を用いて説明する。手動運転切替システム２００は、手動運転切替制御装置１０１、運転技能基礎情報取得装置２０３、及び、運転技能基礎情報記録媒体２０５を有している。
【００４９】
運転技能基礎情報取得装置２０３は、ＩＣカード型の免許証からデータを取得できるＩＣカードリーダに対応する。
【００５０】
運転技能基礎情報記録媒体２０５は、ＩＣカード型の免許証である。なお、ＩＣカード型の免許証では、運転技能基礎情報の運転免許取得時情報として免許証の交付欄の記載が、生年月日情報として生年月日欄の危害が、運転履歴情報として有効期限記載の色分けが示す運転者のカテゴリが、居住地情報として住所欄の記載が、免許有効期限情報として有効期限領域の記載が、顔写真情報として顔写真が、それぞれ対応する。
【００５１】
第２  手動運転切替システム２００の動作
手動運転切替システム２００の動作については、実施例１における手動運転切替制御処理（図３〜図６参照）と同様である。但し、運転技能基礎情報記録媒体２０５は、運転履歴情報として、運転者のカテゴリ（初心者、一般運転者、優良者）が対応するため、図５に示す運転技能レベル判断処理のうち、運転履歴係数の算出に関すステップＳ５１５の処理においては、どのカテゴリに属するのかによって判断する。なお、運転者のカテゴリ毎に設定した係数値を予め記憶保持しておく。また、運転技能基礎情報記録媒体２０５は、違反履歴情報を有していないため、図５に示す運転技能レベル判断処理のうち、違反履歴係数の算出に関すステップＳ５１７、ステップＳ５７９の処理を実行しない。
【実施例３】
【００５２】
前述の実施例２においては、運転技能基礎情報記録媒体２０５は、一般的に交付されているＩＣカード型の免許証としていた。一方、本実施例に係る手動運転切替システム３００においては、一般的に交付されている紙の免許証を情報記録媒体３０５として用いる。なお、以下においては、実施例１、実施例２と同様の構成については同様の符号を付し、詳細な説明を省略する。
【００５３】
第１  手動運転切替システム３００の構成
手動運転切替システム３００の構成について、図８を用いて説明する。手動運転切替システム３００は、手動運転切替制御装置１０１、運転技能基礎情報取得装置３０３、及び、運転技能基礎情報記録媒体３０５を有している。
【００５４】
運転技能基礎情報取得装置３０３は、紙の免許証からデータを取得できるＯＣＲ機能を有する小型スキャナに対応する。
【００５５】
運転技能基礎情報記録媒体３０５は、紙の免許証である。なお、紙の免許証は、ＩＣカード型の免許証と同様の運転技能基礎情報を有している。
【００５６】
第２  手動運転切替システム３００の動作
手動運転切替システム３００の動作については、実施例２における手動運転切替制御処処理と同様である。
【００５７】
［他の実施形態］
（１）運転技能基礎情報：前述の実施例１における運転技能基礎情報は、運転免許取得時情報、生年月日情報等（図２参照）を有するとしたが、所有者の運転技能レベルを判断するために必要な情報であれば、例示のものに限定されない。
【００５８】
（２）運転技能基礎情報記録媒体１０５：前述の実施例１においては、運転技能基礎情報記録媒体１０５としてＩＣカードを示したが、運転技能基礎情報を記録保持でき、持ち運び可能なものであれば、例示のものに限定されない。例えば、携帯電話や、可搬型のハードディスク（いわゆるポータブル・ハードディスク）、ＵＳＢメモリ等であってもよい。
【００５９】
（３）各情報の取得先：前述の実施例１においては、既存の車内カメラＣ１、車外カメラＣ３、全地球測位システムＧＰＳ、車車間通信システムＭＣＳ等を用いて、手動運転切替処理に必要な情報を取得するとしたが、専用の装置を利用して、各種情報を取得するようにしてもよい。
【００６０】
（４）フローチャート：前述の実施例１においては、図３〜図６に示すフローチャートを用いて、各処理を実行するとしたが、各処理が目的とする機能を実行するものであれば、例示のフローチャートに限定されない。
【００６１】
（５）手動運転切替制御装置１０１：前述の実施例１においては、手動運転切替制御装置１０１はＣＰＵ１０１ａを用いて各処理を実行するとしたが、各種のロジック回路用いて専用のロジック回路を形成するようにしてもよい。
【００６２】
また、運転技能レベル判断処理以外の、運転可否判断処理、運転環境判断処理については、適宜、選択して搭載、実行するようにしてもよい。
【符号の説明】
【００６３】
１００      手動運転切替システム
１０１      手動運転切替制御装置
１０３      運転技能基礎情報取得装置
１０５      運転技能基礎情報記録媒体
ＡＭ      自動車
Ｃ１      車内カメラ
Ｃ３      車外カメラ
ＧＰＳ      全地球測位システム
ＭＣＳ      車車間通信システム
ＡＤＳ      自動運転システム
【図１】
2018124686.tif 000003
【図２】
2018124686.tif 000004
【図３】
2018124686.tif 000005
【図４】
2018124686.tif 000006
【図５】
2018124686.tif 000007
【図６】
2018124686.tif 000008
【図７】
2018124686.tif 000009
【図８】
2018124686.tif 000010
【図９】
2018124686.tif 000011